(57)【要約】【課題】  遊技機枠に遊技盤ユニットが着脱可能に装着されて形成される遊技機において、遊技機枠に遊技盤ユニットが容易に着脱される遊技機を提供する。【解決手段】  各回動ストッパ６０の凹部６９が中枠１４に形成される各凸部６８に係合されることにより、各回動ストッパ６０の係合片６７が取付枠３５の各ストッパ係合部６１に係合された状態に各回動ストッパ６０が軸６３の回りに位置決めされ、圧縮コイルばね６６（付勢部材）により各回動ストッパ６０の係合片６７の裏面が中枠１４の前面１４ａに押し付けられる方向へ各回動ストッパ６０が付勢されるので、各回動ストッパ６０が不意に軸６３の回りに回動されるようなことがなく、遊技盤ユニット３の着脱時に遊技盤ユニット３のストッパ係合部６１が回動ストッパ６０に干渉することがなく、遊技機枠２に遊技盤ユニット２を容易に着脱させることができる。【選択図】  図１２
2005160957.tif 000002
【特許請求の範囲】
【請求項１】
遊技機枠に遊技盤ユニットが着脱可能に装着されて形成される遊技機であって、前記遊技盤ユニットを前記遊技機枠に対して位置決めさせる位置決め機構と、該位置決め機構により前記遊技機枠に対して位置決めされた遊技盤ユニットを保持させる保持機構とを具備し、前記保持機構は、前記遊技機枠の中枠の前面上部に設けられ、前記遊技機枠の前後方向に平行に配置される軸が前記中枠に摺動可能に支持される回動ストッパと、前記遊技盤ユニットの上部に設けられ、回動されて所定角度位相に位置決めされた前記回動ストッパが係合されるストッパ係合部と、前記中枠の前面に設けられる凸部と、前記回動ストッパの裏面に設けられて前記凸部に係合されて前記回動ストッパが所定角度位相に位置決めされる凹部と、前記回動ストッパを前記中枠の前面に向けて付勢させる付勢部材とを具備することを特徴とする遊技機。
【発明の詳細な説明】
【技術分野】
【０００１】
本発明は、遊技機枠に遊技盤ユニットが着脱可能に装着されて形成される遊技機に関する。
【背景技術】
【０００２】
従来から、球が遊技媒体として使用される遊技機として、遊技機枠に遊技盤ユニットが着脱可能に装着されて形成されるものが知られている。例えば、特許文献１に記載の遊技機は、遊技機枠に取り付けられる遊技盤ユニットに応じてパチンコ機、或いはスロットマシンが形成される。一般に、このような遊技機において遊技機枠に遊技盤ユニットを装着させる場合には、まず、遊技機枠の中枠に形成された遊技盤ユニット収容部に遊技盤ユニットが収容され、次に、遊技盤ユニットに配設された複数個の各取付け孔が、各取付け孔に整合させて中枠に配設された各ねじ孔に位置合わせされる。そして、この状態で、各ねじ孔に螺合させた各ボルトが締め付けられることで、遊技機枠（中枠）に遊技盤ユニットが固定される。この場合、比較的重量がある遊技盤ユニットをハンドリングにより遊技盤ユニットの各取付け孔を遊技機枠（中枠）の各ねじ孔遊技盤ユニットの各取付け孔に位置決めさせ、さらに、この状態で各ねじ孔にボルトを螺合させるため、遊技盤ユニットの遊技機枠への着脱は工具を必要とし、煩雑で多くの手間と時間とを要すると共に作業者への負担が多大で極めて効率が悪い作業であった。
【特許文献１】特開２００２−１９１８１６号公報（段落番号０００８〜００１７、第１図）
【発明の開示】
【発明が解決しようとする課題】
【０００３】
そこで本発明は、上記事情に鑑みてなされたもので、遊技機枠に遊技盤ユニットが着脱可能に装着されて形成される遊技機において、遊技機枠に遊技盤ユニットが容易に着脱される遊技機を提供することを目的とする。
【課題を解決するための手段】
【０００４】
上記目的を達成するために、本発明のうち請求項１に記載の発明は、遊技機枠に遊技盤ユニットが着脱可能に装着されて形成される遊技機であって、遊技盤ユニットを遊技機枠に対して位置決めさせる位置決め機構と、該位置決め機構により遊技機枠に対して位置決めされた遊技盤ユニットを保持させる保持機構とを具備し、保持機構は、遊技機枠の中枠の前面上部に設けられ、遊技機枠の前後方向に平行に配置される軸が中枠に摺動可能に支持される回動ストッパと、遊技盤ユニットの上部に設けられ、回動されて所定角度位相に位置決めされた回動ストッパが係合されるストッパ係合部と、中枠の前面に設けられる凸部と、回動ストッパの裏面に設けられて凸部に係合されて回動ストッパが所定角度位相に位置決めされる凹部と、回動ストッパを中枠の前面に向けて付勢させる付勢部材とを具備することを特徴とする。
【０００５】
従って、請求項１に記載の発明では、位置決め機構により遊技盤ユニットが遊技機枠に対して位置決めされ、この状態で回動ストッパが回動されて凸部に凹部が係合されることにより回動ストッパが所定角度位相に位置決めされる。これにより、回動ストッパがストッパ係合部に係合されて遊技盤ユニットが遊技機枠に保持される。この際、回動ストッパは、付勢部材により中枠の前面に常時押し付けられるので、不意に回動されてしまうようなことがない。
【発明の効果】
【０００６】
遊技機枠に遊技盤ユニットが着脱可能に装着されて形成される遊技機において、遊技機枠に遊技盤ユニットが容易に着脱される遊技機を提供することができる。
【発明を実施するための最良の形態】
【０００７】
本発明の一実施の形態を図１〜図１２に基づいて説明する。図１に示されるように、本遊技機１は、遊技機枠２にスロットマシン用の遊技盤ユニット３（以下、単に遊技盤ユニット３と称す）が着脱可能に装着されてスロットマシンが形成される。そして、本遊技機１は、位置決め機構により遊技機枠２の後部枠８に対して遊技盤ユニット３が位置決めされ、また、上記位置決め機構により位置決めされた遊技盤ユニット３が、保持機構により後部枠８に保持される。上記遊技機枠２は、皿装置９が設けられた前枠５が、ヒンジ１０を介して後部枠８に取り付けられて形成され、前枠５が後部枠８に対して片開き（本実施の形態では左開き）される。また、図３に示されるように、上記後部枠８は、ホールに設置される島に取り付け固定される外枠１２と、該外枠１２にヒンジ１３を介して取り付けられて該外枠１２に対して前枠５の片開き方向と同じ方向へ片開き可能な中枠１４とで形成される。さらに、上記前枠５は、皿装置９の上方に、中央に開口部１５が設けられた前面装飾部１６が形成される。
【０００８】
図３及び図４に示されるように、上記前面装飾部１６は、開口部１５の上側の部位にトップランプが設けられ、該トップランプ１７の左右両側には高音用スピーカ１８が配置される。また、遊技機枠２は、中枠１４の図３における紙面視右側部の中央に錠１９が設けられ、該錠１９の鍵穴に差込まれた鍵が反時計回り方向へ回動されることにより、前枠５と中枠１４との施錠が解除されて前枠５が中枠１４に対して片開き（左開き）可能になる。そして、錠１９の鍵穴に差込まれた鍵が時計回り方向へ回動されることにより、中枠１４と外枠１２との施錠が解除されて中枠１４が外枠１２に対して、前枠５の中枠１４に対する片開き方向と同じ方向へ片開き可能になる。また、本遊技機１は、前枠５の皿装置９の前面にスタートレバースイッチ２０が設けられ、該スタートレバースイッチ２０から出力されたスタート信号が主基板で検出されることにより、回胴表示ユニット６の各回胴表示装置６ａ〜６ｃが駆動されて各回胴表示装置６ａ〜６ｃに図柄が変動表示される構造になっている。
【０００９】
図３及び図４に示されるように、上記前枠５の皿装置９には、各回胴表示装置６ａ〜６ｃの変動表示される図柄を任意のタイミングで停止させるための図柄停止ボタン２１ａ〜２１ｃが設けられる。また、前枠５の皿装置９には、球貸出しがカードユニットにより行われる際に使用される球貸出しボタン２２、球（カード）返却ボタン２３、並びにカードの有価価値が表示される表示器２４が設けられる。さらに、本遊技機１は、前枠５の皿装置９に球排出ボタン２５が設けられて、該球排出ボタン２５が操作されることにより、球収容部２６に収容された球が外部へ排出される構造になっている。また、前枠５の皿装置９には、遊技において最大の賭球数（ＭＡＸＢＥＴ）が設定されるＭＡＸＢＥＴボタン２７、ＭＡＸＢＥＴよりも小さい賭球数が設定される１ＢＥＴボタン２８、賭球数の設定が取り消されるキャンセルボタン２９、獲得或いは投入された球が精算されて所定位置に回収される球抜きボタン３０が配設される。
【００１０】
なお、本遊技機１は、メダルが使用されるスロットマシンの１ＢＥＴ当りの投入金額に合わせて、１ＢＥＴに対する賭球数が５個に設定される。また、図１に示されるように、上記後部枠８の中枠１４は、上部に遊技盤ユニット３が収容される遊技盤ユニット収容部３１が形成され、下部に低音用スピーカ３２、前枠５に取り付けられた球取り込み装置３３が収容される球取り込み装置収容部３４等が設けられる。そして、図４に示されるように、本遊技機１は、上記中枠１４の遊技盤ユニット収容部３１に収容された遊技盤ユニット３が、前枠５に形成された開口部１５から臨む構造になっている。また、図５に示されるように、遊技盤ユニット３は、着脱機構を介して中枠１４に着脱可能に取り付けられる取付枠３５と、該取付枠３５にヒンジ３６を介して取り付けられる前面枠４とを含んで形成される。これにより、遊技盤ユニット３は、取付枠３５が中枠１４に取り付けられた状態で前面枠４が取付枠３５に対して、前枠５が後部枠８に対して片開きされる方向、並びに中枠１４が外枠１２に対して片開きされる方向と同じ方向へ片開きされる構造になっている。
【００１１】
また、図５に示されるように、上記取付枠３５には、液晶表示ユニット７を位置決めさせるための２つの突起３８が設けられると共に、端面に液晶表示ユニット７を固定させるための留め孔３９が形成された複数本（本実施の形態では４本）のボス４０が配設される。さらに、液晶表示ユニット７には、取付枠３５に設けられた各突起３８に係合可能な各位置決め用孔４１が形成されると共に、各位置決め用孔４１が取付枠３５の各突起３８に係合されることで、取付枠３５の各ボス４０の留め孔３９に整合されるように配置された各留め具４２が設けられる。そして、液晶表示ユニット７は、各位置決め用孔４１に取付枠３５の各突起３８が係合されることで取付枠３５に対して位置決めされ、この状態で、各留め具４２が取付枠３５の各ボス４０の留め孔３９に係合されることで、取付枠３５に固定される構造になっている。また、上記取付枠３５には、回胴表示ユニット６の各回胴表示装置６ａ〜６ｃを位置決めさせるための一対の突起４３が回胴表示装置配置方向に各回胴表示装置６ａ〜６ｃ毎に設けられると共に、各回胴表示装置６ａ〜６ｃを固定させるための留め孔４４が配設される。
【００１２】
また、図５に示されるように、各回胴表示装置６ａ〜６ｃの各取付片４５には、取付枠３５に設けられた一対の各突起４３に係合可能な各位置決め用孔４６が形成されると共に、各位置決め用孔４６が取付枠３５の各突起４３に係合されることで、取付枠３５の各留め孔４４に整合されるように配置された留め具４７が設けられる。そして、各回胴表示装置６ａ〜６ｃは、各位置決め用孔４６に取付枠３５の各突起４３が係合されることで取付枠３５に対して位置決めされ、この状態で、各留め具４７が取付枠３５の各留め孔４４に係合されることで、取付枠３５に個別に固定される構造になっている。なお、取付枠３５に装着された液晶表示ユニット７、及び回胴表示ユニット６の各回胴表示装置６ａ〜６ｃを取付枠３５から脱離させる場合には、留め具４２，４７を押し込むことにより、留め具４２，４７と留め孔３９，４４との係合を解除させればよい。また、図１及び図２に示されるように、上記前面枠４には、液晶表示ユニット７及び回胴表示ユニット６を視認するための開口部４８，４９が形成される。
【００１３】
そして、図６に示されるように、前面枠４の前面には、前面枠４の周縁に配設された複数個の爪部３８により支持されて、アクリル製のパネルに意匠図柄が印刷されたフィルムが貼着されて形成されたデザインパネル３７が着脱可能に取り付けられる。なお、遊技盤ユニット３は、前面枠４に取り付けられた吸着板が取付枠３５に設けられたマグネットで吸着されることで前面枠４が取付枠３５に対して閉じられた状態で保持されて、図２に示されるように、前面枠４に設けられたノブ１１が手前に引張られることで前面枠４が取付枠３５に対して、前枠５が後部枠８に対して片開きされる方向と同じ方向へ片開きされる構造になっている。また、図７に示されるように、上記遊技機枠２（後部枠８）の中枠１４には、遊技盤ユニット３が収容される遊技盤ユニット収容部５５が設けられる。そして、該遊技盤ユニット収容部の底面５５ａには、断面が略円弧状に形成される一対の案内レール５６が相互に平行に前後方向へ延設される。
【００１４】
また、図７に示されるように、上記遊技盤ユニット収容部５５の上部には、左右両側に配置された略円筒状の位置決めピン５８が設けられる。そして、図８及び図９に示されるように、遊技盤ユニット３の取付枠３５の底部には、上記一対の案内レール５６に係合される一対の案内溝５７が前後方向へ延設される。さらに、遊技盤ユニット３の取付枠３５には、上記一対の位置決めピン５８に係合される一対の上下方向へ延びる長孔５９が配設される。そして、図２に示されるように、本遊技機１の位置決め機構は、中枠１４に形成される一対の案内レール５６に取付枠３５に形成される一対の案内溝５７が係合されて、遊技盤ユニット３が中枠１４に対して前後方向へスライド移動可能に案内される。この遊技盤ユニット３が案内された状態で、中枠１４に形成される一対の位置決めピン５８に取付枠３５に形成される一対の長孔５９が係合されて、遊技盤ユニット３が中枠１４に対して位置決めされる構造になっている。
【００１５】
また、図７に示されるように、中枠１４には、遊技盤ユニット収容部５５の周縁上部に一対の回動ストッパ６０が配設される。図１１及び図１２に示されるように、各回動ストッパ６０は、各軸６３が中枠１４に形成される各軸支孔６４に摺動可能に支持される。また、各回動ストッパ６０は、各軸６３の先端にばね受部材６５が嵌着され、各ばね受部材６５と中枠１４の前面１４ａとの間には、各軸６３に外挿させた圧縮コイルばね６６（付勢部材）が設けられる。これにより、各回動ストッパ６０は、各圧縮コイルばね６６のばね力により遊技機枠２の前から後（図１１及び図１２における紙面視右方向）へ向けて常時付勢されて、各係合片６７の裏面６７ａが中枠１４の前面１４ａに押し付けられる。また、図８及び図１０に示されるように、遊技盤ユニット３の取付枠３５の上部には、上記一対の回転ストッパ６０の各係合片６７が係合される一対のストッパ係合部６１が配設される。
【００１６】
そして、本遊技機１の保持機構は、図７及び図１１に示される各回動ストッパ６０の各係合片６７が水平に保持された状態（各軸６３の回りの角度位相が０度の状態）で、上記位置決め機構により中枠１４に対して遊技盤ユニットが位置決めされる。この状態で各回動ストッパ６０が回動されて、図１に示されるように、各回動ストッパ６０の各係合片６７が垂直に保持される（各軸６３の回りの角度位相が９０度に保持される）。これにより、図１２に示されるように、各回動ストッパ６０の係合片６７が各ストッパ係合部６１に係合されて、各回動ストッパ６０の係合片６７により、各ストッパ係合部６１の水平片６１ａが下方へ押圧されると共に各ストッパ係合部６１の垂直片６１ｂの前方向（図１２における紙面視左方向）への移動が規制されて、遊技盤ユニット３が遊技機枠２（中枠１４）に対して位置決め保持される構造になっている。なお、図１２に示されるように、本遊技機１の保持機構は、中枠１４の前面１４ａの各軸支孔６４から所定距離上側の位置に凸部６８が配設されると共に、各回動ストッパ６０の裏面に一対の凹部６９が軸６３と直交される対角線上に形成されており、各回動ストッパ６０が回動されて各回動ストッパ６０の各凹部６９が各凸部６８に係合されることにより、各回動ストッパ６０が軸６３の回りに位置決めされて各ストッパ係合部６１に係合された状態で保持される構造になっている。
【００１７】
また、図７に示されるように、遊技機枠２の中枠１４には、複数個（本実施の形態では５個）のばね鋼材で形成される弾性部材６２が配設される。そして、本遊技機１は、上記位置決め機構及び保持機構により中枠１４に対して遊技盤ユニット３が位置決め保持された状態で遊技機枠２の前枠５が閉じられると、各弾性部材６２の弾性力により取付枠３５の背面が押圧されて、遊技盤ユニット３が遊技機枠２の前枠５に押し付けられる状態で遊技機枠２に装着される構造になっている。
【００１８】
次に、本実施の形態の作用を説明する。以下、本遊技機１の遊技機枠２に遊技盤ユニット３が装着される際の手順を説明する。まず、遊技機枠２の前枠５が片開きされ、且つ、各回動ストッパ６０の姿勢が水平に保持された状態（各係合片６７の各軸６３の回りの角度位相が０度の状態）で、中枠１４に形成された一対の案内レール５６に取付枠３５に形成された一対の案内溝５７を係合させるようにして、中枠１４の遊技盤ユニット収容部５５に遊技盤ユニット３を仮置きさせる。この状態で、一対の案内レール５６と一対の案内溝５７とを摺動させつつ、遊技盤ユニット３を後方へスライド移動させて、中枠１４に形成された各位置決めピン５８に取付枠３５の各長孔５９を係合させることにより、遊技盤ユニット３が中枠１４に対して位置決めされる。なお、この時、図７及び図１１に示されるように、予め、各回動ストッパ６０の係合片６７は略水平の状態に保持される。次に、各回動ストッパ６０を回動させて、図１２に示されるように、各回動ストッパ６０の凹部６９を中枠１４に形成された各凹部６９に係合させて、各回動ストッパ６０の係合片６７を垂直の状態（各軸６３の回りの角度位相が９０度の状態）に保持させる。
【００１９】
これにより、各回動ストッパ６０の係合片６７により、各ストッパ係合部６１の水平片６１ａが下方へ押圧されると共に各ストッパ係合部６１の垂直片６１ｂの前方への移動が規制されて、遊技盤ユニット３が遊技機枠２（中枠１４）に装着される。そして、遊技盤ユニット３が遊技機枠２（中枠１４）に対して位置決め保持された状態で遊技機枠２の前枠５が閉じられると、該前枠５により遊技盤ユニット３が後方へ押し込まれて、中枠１４に配設された各弾性部材６２が弾性変形される。これにより、各弾性部材６２の弾性力により取付枠３５の背面が押圧されて、遊技盤ユニット３が前枠５へ向けて押し付けられた状態で遊技機枠２に保持される。
【００２０】
また、本遊技機１は、中枠１４に形成された一対の案内レール５６に取付枠３５に形成された一対の案内溝５７が係合されることにより遊技機枠２（中枠１４）に対して遊技盤ユニット３が前後方向へスライド移動可能に案内され、この状態で、中枠１４に形成された一対の位置決めピン５８に取付枠３５に形成された一対の長孔５９が係合されることにより、遊技機枠２に対して遊技盤ユニット３が位置決めされる。さらに、遊技機枠２に対して遊技盤ユニット３が位置決めされた状態で、中枠１４に配設された一対の回動ストッパ６０が回動されて、各回動ストッパ６０の係合片６７が取付枠３５に形成された一対のストッパ係合部６１に係合されることで、各回動ストッパ６０の係合片６７により、各ストッパ係合部６１の水平片６１ａが下方へ押圧されると共に各ストッパ係合部６１の垂直片６１ｂの前方への移動が規制されて、遊技盤ユニット３が中枠１４に装着される。
したがって、本遊技機１は、遊技機枠２に配設された各ねじ孔に遊技盤ユニット３に形成された各取付け孔をハンドリングにより位置合わせさせて、各ねじ孔にボルトを螺合させて締め付けるといった、着脱可能な遊技盤ユニットを備える従来の遊技機１において遊技機枠２に遊技盤ユニット３を着脱させる際に行われていた極めて煩雑な作業を廃止することが可能になり、遊技機枠２に遊技盤ユニット２を容易に着脱させることができる。
また、本遊技機１は、各回動ストッパ６０の凹部６９が中枠１４に形成される各凸部６８に係合されることにより、各回動ストッパ６０の係合片６７が取付枠３５の各ストッパ係合部６１に係合された状態に各回動ストッパ６０が軸６３の回りに位置決めされ、圧縮コイルばね６６（付勢部材）により各回動ストッパ６０の係合片６７の裏面が中枠１４の前面１４ａに押し付けられる方向へ各回動ストッパ６０が付勢されるので、各回動ストッパ６０が不意に軸６３の回りに回動されるようなことがなく、遊技盤ユニット３の着脱時に遊技盤ユニット３のストッパ係合部６１が回動ストッパ６０に干渉したり、回動ストッパ６０とストッパ係合部６１との係合が外れて遊技盤ユニット３が位置決め完了後に動いてしまう事態を回避することができる。
さらに、本遊技機１は、遊技盤ユニット２と中枠１４との間に弾性部材６２を介在させたので、遊技機枠２の前枠５が閉じられた際には、弾性部材６２の弾性力により遊技盤ユニット３の取付枠３５の背面が押圧されて、前枠５に遊技盤ユニット３が押し付けられる。これにより、遊技機枠２に対して遊技盤ユニット３が前後方向へ揺れることがない。
【００２１】
なお、実施の形態は上記に限定されるものではなく、例えば次のように構成してもよい。
本実施の形態では、遊技機枠２にスロットマシン用の遊技盤ユニット３を着脱可能に装着させてスロットマシンを形成させたが、遊技機枠２にパチンコ機用の遊技盤ユニット（３）を着脱可能に装着させてパチンコ機を形成させてもよい。
圧縮コイルばね６６（付勢部材）は、弾性体であれば、例えば円筒状に形成されるゴム材等であってもよい。
弾性部材６２は、皿ばね、ゴム材、或いはウレタン樹脂等であってもよい。
【図面の簡単な説明】
【００２２】
【図１】本実施の形態の説明図であって、遊技機枠の前枠を後部枠に対して片開きさせた状態を示す斜視図である。
【図２】本実施の形態の説明図であって、図１における状態から、遊技盤ユニットの前面枠を取付枠に対して、遊技機枠の前枠が後部枠に対して片開きされる方向と同じ方向へ片開きさせた状態を示す斜視図である。
【図３】本実施の形態の説明図であって、遊技機枠を構成する各枠と遊技盤ユニットとを示す斜視図である。
【図４】本遊技機の正面図である。
【図５】本実施の形態の説明図であって、遊技盤ユニットの分解斜視図である。
【図６】本実施の形態の説明図であって、デザインパネルと、該デザインパネルが脱離された状態の遊技盤ユニットとを示す斜視図である。
【図７】本実施の形態の説明図であって、中枠の斜視図である。
【図８】本実施の形態の説明図であって、取付枠に対して前面枠が片開きされた状態の遊技盤ユニットの斜視図である。
【図９】遊技盤ユニットの平面図である。
【図１０】遊技盤ユニットの底面図である。
【図１１】本実施の形態の説明図であって、回動ストッパの係合片と中枠に形成されるストッパ係合部とが係合されていない状態の保持機構の断面を示す図である。
【図１２】本実施の形態の説明図であって、回動ストッパの係合片が中枠に形成されるストッパ係合部に係合された状態の保持機構の断面を示す図である。
【符号の説明】
【００２３】
１  遊技機、２  遊技機枠、３  遊技盤ユニット、１４  中枠（１４ａ  前面）、５６  案内レール（位置決め機構）、５７  案内溝（位置決め機構）、５８  位置決めピン（位置決め機構）、５９  長孔（位置決め機構）、６０  回動ストッパ、６１  ストッパ係合部、６６  圧縮コイルばね（付勢部材）、６８  凸部、６９  凹部
【図１】
2005160957.tif 000003
【図２】
2005160957.tif 000004
【図３】
2005160957.tif 000005
【図４】
2005160957.tif 000006
【図５】
2005160957.tif 000007
【図６】
2005160957.tif 000008
【図７】
2005160957.tif 000009
【図８】
2005160957.tif 000010
【図９】
2005160957.tif 000011
【図１０】
2005160957.tif 000012
【図１１】
2005160957.tif 000013
【図１２】
2005160957.tif 000014